(57)【要約】  一対のブーツを連結すると共に、ブーツの筒状胴部が折れ曲がらないように保持するブーツホルダーを提供する。  ブールホルダーは、開閉手段（１１）と操作手段（１２）とから構成されている。開閉手段（１１）は、１本の可撓性ロッドを折曲形成することにより、下側を開放した円弧状のヘッダー部（１４）と、開放部（１３）に臨むヘッダー部の両端（１４ａ）（１４ａ）から下向きに次第に離れる方向に延びる一対の脚部（１５）（１５）を形成し、前記脚部の各下端（１５ａ）に挟持ブロック（１６）を固着している。操作手段（１２）は、脚部（１５）（１５）の離間距離を所定距離となるように保持した状態で挿通する保持孔（１８）を形成し、該保持孔に脚部を挿通した状態で、ヘッダー部（１４）に近傍する上方の待機位置（Ｐ１）とヘッダー部（１４）から離れた下方の作動位置（Ｐ２）（Ｐ３）の間で摺動自在とされる。
2009128165.tif 000002
【特許請求の範囲】
【請求項１】
一対のブーツの筒状胴部を隣接させた状態で、両ブーツを内側から挟持するブールホルダーにおいて、開閉手段(11)と操作手段(12)とから成り、
前記開閉手段(11)は、１本の可撓性ロッドを折曲形成することにより、下側を開放した円弧状のヘッダー部(14)と、前記開放部(13)に臨むヘッダー部の両端(14a)(14a)から下向きに次第に離れる方向に延びる一対の脚部(15)(15)を形成し、前記脚部の各下端(15a)に挟持ブロック(16)を固着しており、
前記操作手段(12)は、前記一対の脚部(15)(15)の離間距離を所定距離となるように保持した状態で挿通する保持孔(18)を形成し、該保持孔に脚部を挿通した状態で、ヘッダー部(14)に近傍する上方の待機位置(P1)とヘッダー部(14)から離れた下方の作動位置(P2)(P3)の間で摺動自在とされ、
前記保持孔(18)は、操作手段(12)を下方に摺動したとき一対の脚部(15)(15)を相互に近接方向に閉じさせ、操作手段(12)を上方に摺動したとき一対の脚部(15)(15)を相互に離間方向に開かせる連動手段を構成し、
前記操作手段(12)を作動位置(P2)(P3)に位置させた状態で、一対の挟持ブロック(16)(16)が相互に当接され、一対の脚部(15)(15)が相互に離間する方向に弾発力を蓄積する脚弾発手段(21)を構成して成ることを特徴とするブーツホルダー。
【請求項２】
前記操作手段(12)を待機位置(P1)に位置させた状態で、ヘッダー部(14)が開放部(13)を拡開する方向に弾発力を蓄積するヘッダー弾発手段(20)を構成して成ることを特徴とする請求項１に記載のブーツホルダー。
【請求項３】
前記脚弾発手段(21)は、操作手段(12)の保持孔(18)に保持された一対の脚部(15)(15)の離間距離Ｗ２と、挟持ブロック(16)(16)を相互に当接した状態における脚部の下端(15a)(15a)の離間距離Ｗ３を、Ｗ２≦Ｗ３とすることにより形成されて成ることを特徴とする請求項１又は２に記載のブーツホルダー。
【請求項４】
前記ヘッダー弾発手段(20)は、ヘッダー部(14)の開放部(13)に臨む両端(14a)(14a)の離間距離Ｗ１と、操作手段(12)の保持孔(18)に保持された一対の脚部(15)(15)の離間距離Ｗ２を、Ｗ１＞Ｗ２とすることにより形成されて成ることを特徴とする請求項２又は３に記載のブーツホルダー。
【請求項５】
各脚部(15)に弾性リングから成るストッパー(19a)を摺動自在に外挿し、該ストッパー(19a)により操作手段(12)の下方摺動位置を規制するように構成して成ることを特徴とする請求項１、２、３又は４に記載のブーツホルダー。
【請求項６】
各脚部(15)に弾性リングから成るスペーサー(19b)(19c)を摺動自在に外挿し、各脚部をブーツの筒状胴部に挿入した状態で、該スペーサー(19b)を筒状胴部の開口縁(B3)に臨ませるように構成して成ることを特徴とする請求項１、２、３、４又は５に記載のブーツホルダー。
【発明の詳細な説明】
【技術分野】
【０００１】
本発明は、一対のブーツを連結すると共に、ブーツの筒状胴部が折れ曲がらないように保持するブーツホルダーに関する。
【背景技術】
【０００２】
従来、図９及び図１０に示すようなブーツホルダーが提案されている。図９（Ａ）に示すように、ブーツホルダー１は、適度の弾性を有する素材により形成されており、円弧状のヘッダー部２から下向きに延びる一対の脚部３、３を備えている。この際、ヘッダー部２は、脚部３、３を相互に当接する方向（図示矢印Ｆの方向）に弾発付勢しており、全体がヘアピンのように構成されている。尚、脚部３、３の先端には、外広がり状に屈曲されたガイド部４、４が形成されている。【０００３】
公知の通り、ブーツＢは、靴部Ｂ１から上向きに筒状胴部Ｂ２を延長しており、筒状胴部Ｂ２の上端に開口縁Ｂ３を備えている。【０００４】
そこで、図９（Ｂ）に示すように、並設した一対のブーツＢ、Ｂに対して、ブーツホルダー１の一対のガイド部４、４を開口縁Ｂ３、Ｂ３に臨ませた状態で、脚部３、３をブーツＢ、Ｂの内部に挿入すると、脚部３、３の弾発力で開口縁Ｂ３、Ｂ３が挟持される。筒状胴部Ｂ２、Ｂ２の内部には長く延びる脚部３、３が挿入されるので、筒状胴部Ｂ２、Ｂ２が折れ曲がらないように保持される。【０００５】
しかしながら、このようなヘアピン形状のブーツホルダー１は、図１０（Ａ）に示す通常の形態においては、ヘッダー部２の弾力により所定の弾発力Ｆ１で脚部３、３の全面を相互に当接しているが、図１０（Ｂ）に示すように、ブーツホルダー１をブーツＢ、Ｂに挿入し、脚部３、３により筒状胴部Ｂ２、Ｂ２を挟んだ状態においては、脚部３、３が先端に向けて広がるように相互に離間し、弾発力Ｆ２を有する脚部３、３の一部分だけで開口縁Ｂ３、Ｂ３のみを局部的に挟持する。このため、ヘッダー部２を把持してブーツホルダー１を持ち上げると、ブーツＢ、Ｂがずれ落ちるという問題がある。【０００６】
ところで、前記問題を解決するため、図１０（Ｃ）に示すように、脚部３、３を締着する締着手段５を設けたブーツホルダー１ａが提案されている。締着手段５は、脚部３、３を結束した状態で上下にスライド自在とされている。そこで、締着手段５を図示鎖線で示す上方位置に移動した状態で、脚部３、３をブーツＢ、Ｂに挿入し、脚部３、３により筒状胴部Ｂ２、Ｂ２の開口縁Ｂ３、Ｂ３を挟持した後、締着手段５を下方にスライドすることにより、弾発力Ｆ３を増した脚部３、３で開口縁Ｂ３、Ｂ３を強く挟着する。【０００７】
【特許文献１】実公昭５６−２２８４７号公報
【特許文献２】実用新案登録第２６０５０９６号公報
【発明の開示】
【発明が解決しようとする課題】
【０００８】
従来のブーツホルダー１は、ヘアピン形状のものであり、常に脚部３、３を相互に当接するように弾発している。このため、次のような重大な問題がある。
（１）ブーツホルダー１の脚部３、３が相互に当接する方向に弾発され、常時、脚部３、３を閉じた状態とされているので、ブーツＢ、Ｂに挿入することが困難である。
（２）脚部３、３をブーツＢ、Ｂに挿入し又は引き抜く際に、筒状胴部Ｂ２の開口縁Ｂ３が脚部３に摺擦されるので、開口縁Ｂ３を損傷するおそれがある。特に、ブーツホルダー１の挿入や引き抜きを繰り返すと、開口縁Ｂ３が擦り切れてしまうおそれがある。【０００９】
そして、図１０（Ｃ）に示すような締着手段５により脚部３、３を強力に挟着するブーツホルダー１ａの場合は、脚部３、３が筒状胴部Ｂ２、Ｂ２の開口縁Ｂ３、Ｂ３に食い込むので、開口縁Ｂ３に変形癖を付けてしまうという問題がある。【００１０】
本発明は、上述のような従来のブーツホルダー１、１ａが常に脚部３、３を相互に当接させるように弾発力Ｆを作用させる技術思想に基づいているのに対し、その技術思想を根本的に変更し、それとは反対に、常時、一対の脚部を離間させる方向に弾発させ、操作手段を操作することにより、該弾発力に抗して脚部を近接する方向に変形させ、これにより一対のブーツを内側から挟持するように構成したものである。【００１１】
本発明のブーツホルダーによれば、常時は一対の脚部が開いているので、極めて簡単容易に一対の脚部をそれぞれのブーツに挿入することができる。そして、操作手段により脚部を弾発力に抗して閉じさせる。脚部の各下端には挟持ブロックが設けられており、脚部を閉じたとき、一対の挟持ブロックが一対のブーツの靴部を内側から強力に挟持する。ブーツの筒状胴部の開口縁は、強く挟持されないので、損傷するおそれはない。
【課題を解決するための手段】
【００１２】
本発明によれば、次のような構成のブーツホルダーが提供される（請求項１）。即ち、ブーツホルダーは、一対のブーツの筒状胴部を隣接させた状態で、両ブーツを内側から挟持するブーツホルダーにおいて、開閉手段と操作手段とから成り、前記開閉手段は、１本の可撓性ロッドを折曲形成することにより、下側を開放した円弧状のヘッダー部と、前記開放部に臨むヘッダー部の両端から下向きに次第に離れる方向に延びる一対の脚部を形成し、前記脚部の各下端に挟持ブロックを固着しており、前記操作手段は、前記一対の脚部の離間距離を所定距離となるように保持した状態で挿通する保持孔を形成し、該保持孔に脚部を挿通した状態で、ヘッダー部に近傍する上方の待機位置とヘッダー部から離れた下方の作動位置の間で摺動自在とされ、前記保持孔は、操作手段を下方に摺動したとき一対の脚部を相互に近接方向に閉じさせ、操作手段を上方に摺動したとき一対の脚部を相互に離間方向に開かせる連動手段を構成し、前記操作手段を作動位置に位置させた状態で、一対の挟持ブロックが相互に当接され、一対の脚部が相互に離間する方向に弾発力を蓄積する脚弾発手段を構成している。【００１３】
また、本発明によれば、ヘッダー弾発手段を設けたブーツホルダーが提供される（請求項２）。即ち、ブーツホルダーは、前記操作手段を待機位置に位置させた状態で、ヘッダー部が開放部を拡開する方向に弾発力を蓄積するヘッダー弾発手段を構成する。【００１４】
本発明によれば、前記脚弾発手段は、次のように構成される（請求項３）。即ち、前記脚弾発手段は、操作手段の保持孔に保持された一対の脚部の離間距離Ｗ２と、挟持ブロックを相互に当接した状態における脚部の下端の離間距離Ｗ３を、Ｗ２≦Ｗ３とすることにより形成されている。【００１５】
本発明によれば、前記ヘッダー弾発手段は、次のように構成される（請求項４）。即ち、前記ヘッダー弾発手段は、ヘッダー部の開放部に臨む両端の離間距離Ｗ１と、操作手段の保持孔に保持された一対の脚部の離間距離Ｗ２を、Ｗ１＞Ｗ２とすることにより形成されている。【００１６】
本発明のブーツホルダーは、各脚部に弾性リングから成るストッパーを摺動自在に外挿し、該ストッパーにより操作手段の下方摺動位置を規制するように構成することが好ましい。【００１７】
本発明のブーツホルダーは、各脚部に弾性リングから成るスペーサーを摺動自在に外挿し、各脚部をブーツの筒状胴部に挿入した状態で、該スペーサーを筒状胴部の開口縁に臨ませるように構成することが好ましい。
【図面の簡単な説明】
【００１８】
【図１】は本発明のブーツホルダーの実施形態を示す斜視図である。
【図２】は本発明のブーツホルダーを分解状態で示す斜視図である。
【図３】は本発明のブーツホルダーの作用を示す断面図である。
【図４】は本発明のブーツホルダーのヘッダー弾発手段の作用を示す断面図である。
【図５】は本発明のブーツホルダーの脚弾発手段の作用を示す断面図である。
【図６】は本発明のブーツホルダーをロングブーツに使用した例に関して、操作手段を待機位置に位置させた状態を示す断面図である。
【図７】はブーツホルダーをロングブーツに使用した例に関して、操作手段を作動位置に移動した状態を示す断面図である。
【図８】は本発明のブーツホルダーをショートブーツに使用した例に関して、操作手段を作動位置に位置させた状態を示す断面図である。
【図９】は従来技術を示しており、（Ａ）はヘアピン形状のブーツホルダーを示す斜視図、（Ｂ）は該ブーツホルダーによりブーツを保持した状態を示す斜視図である。
【図１０】は従来技術を示しており、（Ａ）はヘアピン形状のブーツホルダーを示す正面図、（Ｂ）は該ブーツホルダーの作用を示す断面図、（Ｃ）はヘアピン形状のブーツホルダーに締着部材を設けた従来技術の作用を示す断面図である。
【符号の説明】
【００１９】
１０  ブーツホルダー
１１  開閉手段
１２  操作手段
１３  開放部
１４  ヘッダー部
１４ａ  折曲部
１５  脚部
１５ａ  下端部
１５ｂ  上端部
１６  挟持ブロック
１６ａ  挟持面
１８  保持孔
１９ａ  ストッパー
１９ｂ、１９ｃ  スペーサー
２０  ヘッダー弾発手段
２１  脚弾発手段
【発明を実施するための最良の形態】
【００２０】
以下図面に基づいて本発明の好ましい実施形態を詳述する。【００２１】
図１ないし図３に示すように、ブーツホルダー１０は、開閉手段１１と、操作手段１２とから構成されている。【００２２】
開閉手段１１は、１本の可撓性ロッドを折曲成形することにより、下側を開放部１３とする円弧状のヘッダー部１４と、該ヘッダー部１４から下向きに次第に離れる方向に延びる一対の脚部１５、１５を形成し、両脚部の各下端部１５ａに挟持ブロック１６を固着している。前記ヘッダー部１４は、開放部１３に臨む両端を外向きに折曲することにより相互に離間距離Ｗ１だけ離れた折曲部１４ａ、１４ａを形成し、該折曲部１４ａ、１４ａから脚部１５、１５を直線的に延設している（図３参照）。【００２３】
前記開閉手段１１は、1本のロッドによりヘッダー部１４と両脚部１５、１５を折曲成形された状態で、図２に示すように、一対の脚部１５、１５の拡開角度θ１を１５°〜２５°の範囲から選択された角度（好ましくは約２０°）で開いており、両脚部１５、１５に操作手段１２を装着した状態で、図１に示すように、一対の脚部１５、１５の拡開角度θ２を４°〜１０°の範囲から選択された角度（好ましくは約６°）となるように狭められる。従って、操作手段１２を装着することにより、θ２＜θ１のように拡開角度を狭めるように変形され、両脚部１５、１５を拡開させる方向の弾発力Ｒ、Ｒを蓄積している。このような弾発力Ｒ、Ｒは、開閉手段１１を弾性ロッド又は可撓性ロッドで形成することにより可能となる。このため、ロッドは、鋼等の弾性素材で形成しても良いが、図示実施形態の場合、例えば、アルミニウム線材等の金属製線材や、カーボン繊維又はガラス繊維で強化された樹脂製線材等のような軽量な素材で、撓み変形された状態から復元方向に弾発力を蓄積する可撓性素材により形成されている。【００２４】
前記挟持ブロック１６は、開閉手段１１を構成するロッドの外径Ｄよりも分厚い幅Ｔを有するブロックから成り、上面に装着孔１７を形成し、該装着孔１７に脚部１５の下端部１５ａを挿入し固着する。この際、前記装着孔１７は、一対の挟持ブロック１６、１６の対向する挟持面１６ａ、１６ａから外側に距離Ｓだけ離間した位置に設けられている。従って、挟持ブロック１６、１６の挟持面１６ａ、１６ａを相互に当接したとき、脚部１５、１５の下端部１５ａ、１５ａが相互に離間距離Ｗ３だけ離れるように形成している（図３に示すＷ３を参照）。挟持ブロック１６は、図示のような靴形状とすることにより意匠的効果に優れたものとなり、その際、擬似的な靴紐（図示省略）を取付ければ、更に意匠的効果が向上する。尚、挟持ブロック１６は、木工加工による木製としても良く、或いは、合成樹脂製としても良い。【００２５】
前記操作手段１２は、一対の脚部１５、１５に跨設される分厚い板部材から成り、該板部材の上下に貫通して脚部１５、１５を挿通するための保持孔１８を形成している。保持孔１８に脚部１５、１５を挿通した状態で、操作手段１２は上下方向に摺動自在とされ、保持孔１８は、一対の脚部１５、１５を相互に離間距離Ｗ２だけ離れるように両側から保持する（図３に示すＷ１を参照）。このような離間距離Ｗ２を可能にするため、保持孔１８は、図２に示す操作部材１２ａのような長孔１８ａにより構成しても良く、或いは、操作部材１２ｂのような一対の孔１８ｂ、１８ｂにより構成しても良い。尚、操作手段１２は、木工加工による木製としても良く、或いは、合成樹脂製としても良い。【００２６】
操作手段１２は、ヘッダー部１４に近傍する上方の待機位置Ｐ１と、ヘッダー部１４から離れた下方の作動位置Ｐ２、Ｐ３の間で摺動自在とされている。操作手段１２を待機位置Ｐ１から作動位置Ｐ２、Ｐ３に向けて下方に摺動すると、保持孔１８が脚部１５、１５を相互に近接方向に閉じさせ、操作手段１２を作動位置Ｐ２、Ｐ３から待機位置Ｐ１に向けて上方に摺動すると、保持孔１８が脚部１５、１５を相互に離間方向に開かせる連動手段を構成している。【００２７】
図示実施形態において、一対の脚部１５、１５には複数の弾性リング１９が摺動自在に外挿されている。最上位置に配置された弾性リングはストッパー１９ａを構成し、下側に配置された弾性リングはスペーサー１９ｂ、１９ｃを構成する。【００２８】
ブーツホルダー１０は、開閉手段１１の一対の脚部１５、１５を操作手段１２の保持孔１８に挿通させ、各脚部１５に弾性リング１９を外挿した後、下端部１５ａに挟持ブロック１６を固着することにより組み立てられ、図1に示すような製品として使用される。【００２９】
上述したヘッダー部１４の折曲部１４ａ、１４ａの離間距離Ｗ１（開放部１３の幅）と操作手段１２の保持孔１８に保持された状態での一対の脚部１５、１５の離間距離Ｗ２は、Ｗ１＞Ｗ２となるように形成されている。従って、図３に示すように、操作手段１２をヘッダー部１４の折曲部１４ａ、１４ａに近傍する最上位の待機位置Ｐ１に位置させたとき、ヘッダー部１４は、図示鎖線の状態から実線の状態に圧縮された状態で弾発力を蓄積し、折曲部１４ａ、１４ａの離間距離をＷ１からＷ２に狭めるように変形される。これにより、ヘッダー部１４は、開放部１３を拡開する方向に弾発力を蓄積するヘッダー弾発手段２０を構成する。【００３０】
図４に示すように、操作手段１２を待機位置Ｐ１から作動位置Ｐ２、Ｐ３に移動させると、一対の脚部１５、１５は、ヘッダー部１４から下向きに開いた姿勢から先端部１５ａ、１５ａを閉じる方向に揺動され、挟持ブロック１６、１６を相互に当接する。もしも、脚部１５が上端の支点を固定した状態で揺動する場合は、脚部１５、１５が平行になるまで、先端を開いた脚部１５の軸線が保持孔１８の軸線に対して傾斜しているので、操作手段１２の摺動がスムースでなく、摺動のために強い力を必要とする。これに対して、ヘッダー弾発手段２０を設けた構成によれば、操作手段１２を待機位置Ｐ１から下方に移動させると、図示の鎖線で示す状態から実線で示すように、開放部１３が開き、脚部１５の上端の揺動支点（折曲部１４ａ）を外側に向けて移動させる。従って、保持孔１８の軸線に対する脚部１５の傾斜角が小さくなり、操作手段１２の摺動がスムースなものとなる。しかも、脚部１５の揺動支点（折曲部１４ａ）を外側に向けて移動させることにより、保持孔１８に保持された一対の脚部１５、１５を平行姿勢となるように制御するので、挟持ブロック１６、１６の挟持面１６ａ、１６ａを平行状態で当接させるように貢献する。【００３１】
操作手段１２を前記待機位置Ｐ１に位置させた状態で、一対の脚部１５、１５は、下向きに次第に離れる方向に延びており、図３に実線で示すように下端部１５ａ、１５ａを離間距離Ｗ４で示すように離間させ、一対の挟持ブロック１６、１６を離間距離Ｗ５で示すように離間させている。この待機位置Ｐ１から操作手段１２を下方に移動すると、一対の脚部１５、１５が次第に閉じ、操作手段１２を図３の鎖線で示す作動位置Ｐ２に位置させると、脚部１５、１５が完全に閉じて挟持ブロック１６、１６の挟持面１６ａ、１６ａを相互に当接する。この状態で、脚部１５、１５は、下端部１５ａ、１５ａの離間距離をＷ４からＷ３に狭めるように変形される。従って、操作手段１２を作動位置Ｐ２に位置させたとき、一対の脚部１５、１５は、相互に離反する方向に弾発力を蓄積する脚弾発手段２１を構成する。図示実施形態において、狭められた下端部１５ａ、１５ａの離間距離Ｗ３と、操作手段１２の保持孔１８に保持された個所の脚部１５、１５の離間距離Ｗ２は、Ｗ２≦Ｗ３となるように形成されている。【００３２】
図５に示すように、操作手段１２を作動位置Ｐ２、Ｐ３に移動させたとき、挟持ブロック１６、１６の間にブーツＢ、Ｂが介在している場合、脚部１５、１５の下端部１５ａ、１５ａの離間距離Ｗ３は、Ｗ３＋２ｔ（２ｔはブーツＢ、Ｂの肉厚）となるので、操作手段１２の保持孔１８に保持された脚部１５、１５の離間距離Ｗ２は、必然的にＷ２＜Ｗ３＋２ｔとなる。従って、脚弾発手段２１に抗して脚部１５、１５が相互にＷ２まで近接するように押圧され、その押圧力を挟持ブロック１６、１６に伝達するので、脚弾発手段２１の反力により挟持ブロック１６、１６の挟持力が増強される。【００３３】
ブーツホルダー１０は、操作手段１２を待機位置Ｐ１に移動させた状態で、ヘッダー部１４から延びる一対の脚部１５、１５を下向きに次第に離れるように開き、挟持ブロック１６、１６を相互に離間している。従って、図６に示すように、並設した一対のブーツＢ、Ｂに対して、挟持ブロック１６、１６と共に脚部１５、１５を簡単容易に挿入することができる。そこで、図７に示すように、操作手段１２を待機位置Ｐ１から作動位置Ｐ２まで移動すると、脚部１５、１５が次第に閉じ、挟持ブロック１６、１６によりブーツＢ、Ｂの靴部Ｂ１、Ｂ１を内側から挟持する。操作手段１２が待機位置Ｐ１から離れるので、ヘッダー弾発手段２０により、ヘッダー部１４の開放部１３がやや開いた状態で、脚部１５、１５の上端部１５ｂ、１５ｂが離反方向Ｒ１に弾発されている。脚部１５、１５の下端部１５ａ、１５ａは、上述のようなＷ２≦Ｗ３とされており、この際、挟持ブロック１６、１６の間に靴部Ｂ１、Ｂ１（肉厚２ｔ）が介在しているため、必然的にＷ２＜Ｗ３＋２ｔとなるように変形され、脚弾発手段２１により、下端部１５ａ、１５ａが離反方向Ｒ２に弾発されている。このような離反方向Ｒ１、Ｒ２の弾発力に抗して挟持ブロック１６、１６が近接させられ、ブーツＢ、Ｂの靴部Ｂ１、Ｂ１を内側から強力に挟持する。操作手段１２の上下で脚部１５、１５に離反方向Ｒ１、Ｒ２の弾発力が作用しているので、ブーツホルダー１０に衝撃等が加えられても、操作手段１２は容易に移動せず、所定の作動位置Ｐ２に定置する。【００３４】
図７に示すように、ブーツＢの筒状胴部Ｂ２の高さに応じてストッパー１９ａを所定の位置に設置しておけば、操作手段１２を待機位置Ｐ１から下方に移動したとき、所定の作動位置Ｐ２で停止させることができる。また、筒状胴部Ｂ２の高さに応じてスペーサー１９ｂ、１９ｃを所定の位置に設置しておけば、該筒状胴部Ｂ２を横振れしないように保持できる。【００３５】
このようにブーツホルダー１０は、挟持ブロック１６、１６で挟持することにより靴部Ｂ１、Ｂ１を連結し、脚部１５、１５により筒状胴部Ｂ２、Ｂ２を折曲不能に保持する。従って、ブーツホルダー１０により、ブーツＢ、Ｂを床面に置いた状態で保持できる他、ヘッダー部１４をフック等で吊り下げれば、ブーツＢ、Ｂを販売店等で陳列展示することができる。【００３６】
ブーツＢ、Ｂからブーツホルダー１０を取り外すときは、上記とは反対に操作手段１２を作動位置Ｐ２から待機位置Ｐ１に移動すれば良い。これにより、一対の脚部１５、１５が離反方向Ｒ１、Ｒ２に自動的に開き、挟持ブロック１６、１６が離間するので、ブーツホルダー１０をブーツＢ、Ｂから簡単に抜き取ることができる。【００３７】
図６及び図７は、背の高い筒状胴部Ｂ２を備えたロングブーツを示したが、ブーツホルダー１０は、図８に示すような背の低い筒状胴部Ｂ２を備えたショートブーツに対しても同様に使用することができる。この場合、ブーツホルダー１０は、挟持ブロック１６、１６と共に脚部１５、１５をブーツＢ、Ｂに挿入した後、操作手段１２を待機位置Ｐ１から背の低い筒状胴部Ｂ２の開口縁Ｂ３に近傍する作動位置Ｐ３まで移動させる。これに応じて、ストッパー１９ａは、操作手段１２を作動位置Ｐ３で停止させる位置に設置されている。【００３８】
ロングブーツの場合と同様に、操作手段１２を待機位置Ｐ１から作動位置Ｐ３まで移動すると、脚部１５、１５が次第に閉じ、挟持ブロック１６、１６によりブーツＢ、Ｂの靴部Ｂ１、Ｂ１を内側から挟持する。操作手段１２が待機位置Ｐ１から離れるので、ヘッダー弾発手段２０により、ヘッダー部１４の開放部１３が開き、脚部１５、１５の上端部１５ｂ、１５ｂが離反方向Ｒ１に弾発される。作動位置Ｐ３が低いので、上端部１５ｂ、１５ｂは、ヘッダー弾発手段２０の弾発力を受けて外側に弓状となるように変形する。脚部１５、１５の下端部１５ａ、１５ａは、上述のようなＷ２≦Ｗ３とされているので、離反方向Ｒ２に弾発される。この場合も、挟持ブロック１６、１６の間に靴部Ｂ１、Ｂ１が介在するため必然的にＷ２＜Ｗ３＋２ｔ（２ｔはブーツＢ、Ｂの肉厚）となるので、脚弾発手段２１により、下端部１５ａ、１５ａが内側に弓状となるように変形する。このような離反方向Ｒ１、Ｒ２の弾発力に抗して挟持ブロック１６、１６が近接させられ、ブーツＢ、Ｂの靴部Ｂ１、Ｂ１を内側から強力に挟持する。
【産業上の利用可能性】
【００３９】
本発明のブーツホルダー１０によれば、常時は、一対の脚部１５，１５が開いているので、極めて簡単容易に一対の脚部１５，１５をそれぞれのブーツＢ、Ｂに挿入することができる。そして、操作手段１２を待機位置Ｐ１から作動位置Ｐ２又はＰ３に移動させることにより、脚弾発手段２１の弾発力に抗して脚部１５、１５を閉じさせ、一対の挟持ブロック１６、１６により靴部Ｂ１、Ｂ１を内側から強力に挟持する構成であるから、ブーツホルダー１０を持ち上げてもブーツＢがずれ落ちるようなことはない。従って、ヘッダー部１４をフック等で吊り下げることにより、ブーツＢ、Ｂを販売店等で陳列展示することが可能になる。【００４０】
また、ブーツホルダー１０を取り外すときは、操作手段１２を作動位置Ｐ２又はＰ３から待機位置Ｐ１に移動させるだけで、脚弾発手段２１の弾発力により脚部１５、１５が自動的に開き、挟持ブロック１６、１６を離間させるので、極めて簡単容易にブーツホルダー１０をブーツＢ、Ｂから抜き取ることができる。【００４１】
特に、本発明によれば、ブーツＢ、Ｂに対して、ブーツホルダー１０を挿入し又は抜き取る際の何れのときにも、ブーツホルダー１０が筒状胴部Ｂ２、Ｂ２を摺擦するようなことはなく、従って、ブーツＢを損傷するおそれがないという利点がある。【００４２】
ところで、本発明のブーツホルダー１０は、操作手段１２の保持孔１８に保持された一対の脚部１５、１５の離間距離Ｗ２と、挟持ブロック１６、１６を相互に当接した状態における脚部の下端１５ａ、１５ａの離間距離Ｗ３を、Ｗ２≦Ｗ３とすることにより、脚弾発手段２１を構成している。従って、操作手段１２を作動位置Ｐ２又はＰ３に移動させたとき、挟持ブロック１６、１６によりブーツＢ、Ｂを強力に挟持できる。即ち、このとき、挟持ブロック１６、１６の間にブーツＢ、Ｂが介在しているため必然的にＷ２＜Ｗ３＋２ｔ（但し２ｔはブーツＢ、Ｂの肉厚）となるので、脚部１５、１５を相互にＷ２まで近接するように変形させながら押圧することにより、該押圧力を挟持ブロック１６、１６に伝達する。【００４３】
更に、本発明のブーツホルダー１０は、ヘッダー部１４の開放部１３に臨む両端１４ａ、１４ａの離間距離Ｗ１と、操作手段１２の保持孔１８に保持された一対の脚部１５、１５の離間距離Ｗ２を、Ｗ１＞Ｗ２とすることにより、ヘッダー弾発手段２０を構成している。従って、操作手段１２を待機位置Ｐ１に位置させた状態で、ヘッダー部１４の両端１４ａ、１４ａが離反方向に弾発力を蓄積している。そこで、操作手段１２を作動位置Ｐ２又はＰ３に移動させると、前記両端１４ａ、１４ａが離反方向に移動する。従って、操作手段１２の下方摺動により、一対の脚部１５、１５が下端を開いた姿勢から閉じる方向に姿勢を変更させられる際に、同時に脚部１５、１５の上端を開く方向に姿勢を変更させられるので、操作手段１２の摺動がスムースであり、しかも、挟持ブロック１６、１６の挟持面１６ａ、１６ａを平行姿勢となるように制御できる。【００４４】
本発明は、好ましくは、開閉手段１１の各脚部１５に弾性リングから成るストッパー１９ａを摺動自在に外挿している。ブーツＢの筒状胴部Ｂ２の高さに応じた作動位置Ｐ２又はＰ３にストッパー１９ａを設置しておけば、脚部１５、１５を閉じさせるためにユーザが操作手段１２を待機位置Ｐ１から下向きに摺動するとき、ストッパー１９ａにより操作手段１２を前記作動位置Ｐ２又はＰ３で停止させることができる。【００４５】
本発明は、好ましくは、開閉手段１１の各脚部１５に弾性リングから成るスペーサー１９ｂ、１９ｃを摺動自在に外挿している。ブーツＢの筒状胴部Ｂ２の高さに応じた所定位置にスペーサー１９ｂ、１９ｃを設置しておけば、ブーツホルダー１０の脚部１５、１５を筒状胴部Ｂ２、Ｂ２に挿入した状態で、スペーサー１９ｂ、１９ｃが筒状胴部Ｂ２の内側に臨み、該筒状胴部Ｂ２を横振れしないように保持できる。
【図１】
2009128165.tif 000003
【図２】
2009128165.tif 000004
【図３】
2009128165.tif 000005
【図４】
2009128165.tif 000006
【図５】
2009128165.tif 000007
【図６】
2009128165.tif 000008
【図７】
2009128165.tif 000009
【図８】
2009128165.tif 000010
【図９】
2009128165.tif 000011
【図１０】
2009128165.tif 000012
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
一対のブーツの筒状胴部を隣接させた状態で、両ブーツを内側から挟持するブーツホルダーであり、開閉手段(11)と操作手段(12)とから成り、
前記開閉手段(11)は、１本の可撓性ロッドを折曲形成することにより、円弧状のヘッダー部(14)と、該ヘッダー部の両端から下向きに延びる一対の脚部(15)(15)を形成し、該脚部の各下端部(15a)に固着された挟持ブロック(16)を備え、
前記操作手段(12)は、前記一対の脚部(15)(15)を保持した状態で挿通する保持孔(18)を形成し、ヘッダー部(14)に近傍する上方の待機位置(P1)とヘッダー部(14)から離れた下方の作動位置(P2)(P3)の間で摺動自在とされ、該操作手段(12)を作動位置(P2)(P3)に摺動したとき、一対の挟持ブロック(16)(16)を当接した状態で脚部(15)(15)を相互に離間しないように保持する構成において、
前記ヘッダー部(14)は、下側に形成した開放部(13)に臨む両端を外向きに折曲することにより相互に離間距離Ｗ１だけ離れた折曲部(14a)(14a)を形成し、前記脚部(15)(15)は、前記折曲部(14a)(14a)を介して下向きに次第に離れるように拡開角度θ１を有して延設され、
前記操作手段(12)の保持孔(18)は、前記脚部(15)(15)を拡開角度θ２（但しθ２＜θ１）となるように保持すると共に、該保持孔(18)が位置する脚部(15)(15)の離間距離を所定距離Ｗ２（但しＷ２＜Ｗ１）となるように保持しており、
前記操作手段(12)の保持孔(18)により脚部(15)(15)を保持した状態で、前記ヘッダー部(14)は、前記折曲部(14a)(14a)の離間距離を狭めることにより、開放部(13)を拡開する方向Ｒ１に弾発力を蓄積するヘッダー弾発手段(20)を構成し、
前記操作手段(12)を作動位置(P2)(P3)に摺動し、一対の挟持ブロック(16)(16)を相互に当接した状態で、前記脚部(15)(15)は、保持孔(18)に保持された部分の離間距離Ｗ２と下端部(15a)(15a)の離間距離Ｗ３をＷ２≦Ｗ３とすることにより、挟持ブロック(16)(16)を離反させる方向Ｒ２に弾発力を蓄積する脚弾発手段(21)を構成して成ることを特徴とするブーツホルダー。
【請求項２】
一対のブーツの肉厚ｔとされた筒状胴部にそれぞれ挟持ブロック(16)(16)を挿入し、前記操作手段(12)を作動位置(P2)(P3)に摺動した状態で、前記脚部(15)(15)の保持孔(18)に保持された部分の離間距離Ｗ２と下端部(15a)(15a)の離間距離Ｗ３を、２ｔ＜Ｗ２＜Ｗ３＋２ｔとするように構成して成ることを特徴とする請求項１に記載のブーツホルダー。
【請求項３】
各脚部(15)に弾性リングから成るストッパー(19a)を摺動自在に外挿し、該ストッパー(19a)により操作手段(12)の下方摺動位置を規制するように構成して成ることを特徴とする請求項１又は２に記載のブーツホルダー。
【請求項４】
各脚部(15)に弾性リングから成るスペーサー(19b)(19c)を摺動自在に外挿し、各脚部をブーツの筒状胴部に挿入した状態で、該スペーサー(19b)を筒状胴部の開口縁(B3)に臨ませるように構成して成ることを特徴とする請求項１、２又は３に記載のブーツホルダー。
【手続補正２】
【補正対象書類名】明細書
【補正対象項目名】全文
【補正方法】変更
【補正の内容】
【発明の詳細な説明】
【技術分野】
【０００１】
本発明は、一対のブーツを連結すると共に、ブーツの筒状胴部が折れ曲がらないように保持するブーツホルダーに関する。
【背景技術】
【０００２】
従来、図９及び図１０に示すようなブーツホルダーが提案されている。図９（Ａ）に示すように、ブーツホルダー１は、適度の弾性を有する素材により形成されており、円弧状のヘッダー部２から下向きに延びる一対の脚部３、３を備えている。この際、ヘッダー部２は、脚部３、３を相互に当接する方向（図示矢印Ｆの方向）に弾発付勢しており、全体がヘアピンのように構成されている。尚、脚部３、３の先端には、外広がり状に屈曲されたガイド部４、４が形成されている。
【０００３】
公知の通り、ブーツＢは、靴部Ｂ１から上向きに筒状胴部Ｂ２を延長しており、筒状胴部Ｂ２の上端に開口縁Ｂ３を備えている。
【０００４】
そこで、図９（Ｂ）に示すように、並設した一対のブーツＢ、Ｂに対して、ブーツホルダー１の一対のガイド部４、４を開口縁Ｂ３、Ｂ３に臨ませた状態で、脚部３、３をブーツＢ、Ｂの内部に挿入すると、脚部３、３の弾発力で開口縁Ｂ３、Ｂ３が挟持される。筒状胴部Ｂ２、Ｂ２の内部には長く延びる脚部３、３が挿入されるので、筒状胴部Ｂ２、Ｂ２が折れ曲がらないように保持される。
【０００５】
しかしながら、このようなヘアピン形状のブーツホルダー１は、図１０（Ａ）に示す通常の形態においては、ヘッダー部２の弾力により所定の弾発力Ｆ１で脚部３、３の全面を相互に当接しているが、図１０（Ｂ）に示すように、ブーツホルダー１をブーツＢ、Ｂに挿入し、脚部３、３により筒状胴部Ｂ２、Ｂ２を挟んだ状態においては、脚部３、３が先端に向けて広がるように相互に離間し、弾発力Ｆ２を有する脚部３、３の一部分だけで開口縁Ｂ３、Ｂ３のみを局部的に挟持する。このため、ヘッダー部２を把持してブーツホルダー１を持ち上げると、ブーツＢ、Ｂがずれ落ちるという問題がある。
【０００６】
ところで、前記問題を解決するため、図１０（Ｃ）に示すように、脚部３、３を締着する締着手段５を設けたブーツホルダー１ａが提案されている。締着手段５は、脚部３、３を結束した状態で上下にスライド自在とされている。そこで、締着手段５を図示鎖線で示す上方位置に移動した状態で、脚部３、３をブーツＢ、Ｂに挿入し、脚部３、３により筒状胴部Ｂ２、Ｂ２の開口縁Ｂ３、Ｂ３を挟持した後、締着手段５を下方にスライドすることにより、弾発力Ｆ３を増した脚部３、３で開口縁Ｂ３、Ｂ３を強く挟着する。
【０００７】
【特許文献１】実公昭５６−２２８４７号公報
【特許文献２】実用新案登録第２６０５０９６号公報
【発明の開示】
【発明が解決しようとする課題】
【０００８】
従来のブーツホルダー１は、ヘアピン形状のものであり、常に脚部３、３を相互に当接するように弾発している。このため、次のような重大な問題がある。
（１）ブーツホルダー１の脚部３、３が相互に当接する方向に弾発され、常時、脚部３、３を閉じた状態とされているので、ブーツＢ、Ｂに挿入することが困難である。
（２）脚部３、３をブーツＢ、Ｂに挿入し又は引き抜く際に、筒状胴部Ｂ２の開口縁Ｂ３が脚部３に摺擦されるので、開口縁Ｂ３を損傷するおそれがある。特に、ブーツホルダー１の挿入や引き抜きを繰り返すと、開口縁Ｂ３が擦り切れてしまうおそれがある。
【０００９】
そして、図１０（Ｃ）に示すような締着手段５により脚部３、３を強力に挟着するブーツホルダー１ａの場合は、脚部３、３が筒状胴部Ｂ２、Ｂ２の開口縁Ｂ３、Ｂ３に食い込むので、開口縁Ｂ３に変形癖を付けてしまうという問題がある。
【００１０】
本発明は、上述のような従来のブーツホルダー１、１ａが常に脚部３、３を相互に当接させるように弾発力Ｆを作用させる技術思想に基づいているのに対し、その技術思想を根本的に変更し、それとは反対に、常時、一対の脚部を離間させる方向に弾発させ、操作手段を操作することにより、該弾発力に抗して脚部を近接する方向に変形させ、これにより一対のブーツを内側から挟持するように構成したものである。
【００１１】
本発明のブーツホルダーによれば、常時は一対の脚部が開いているので、極めて簡単容易に一対の脚部をそれぞれのブーツに挿入することができる。そして、操作手段により脚部を弾発力に抗して閉じさせる。脚部の各下端には挟持ブロックが設けられており、脚部を閉じたとき、一対の挟持ブロックが一対のブーツの靴部を内側から強力に挟持する。ブーツの筒状胴部の開口縁は、強く挟持されないので、損傷するおそれはない。
【課題を解決するための手段】
【００１２】
本発明によれば、次のような構成のブーツホルダーが提供される（請求項１）。即ち、ブーツホルダーは、一対のブーツの筒状胴部を隣接させた状態で、両ブーツを内側から挟持するブーツホルダーにおいて、開閉手段と操作手段とから成り、前記開閉手段は、１本の可撓性ロッドを折曲形成することにより、下側を開放した円弧状のヘッダー部と、前記開放部に臨むヘッダー部の両端から下向きに次第に離れる方向に延びる一対の脚部を形成し、前記脚部の各下端に挟持ブロックを固着しており、前記操作手段は、前記一対の脚部の離間距離を所定距離となるように保持した状態で挿通する保持孔を形成し、該保持孔に脚部を挿通した状態で、ヘッダー部に近傍する上方の待機位置とヘッダー部から離れた下方の作動位置の間で摺動自在とされ、前記保持孔は、操作手段を下方に摺動したとき一対の脚部を相互に近接方向に閉じさせ、操作手段を上方に摺動したとき一対の脚部を相互に離間方向に開かせる連動手段を構成し、前記操作手段を作動位置に位置させた状態で、一対の挟持ブロックが相互に当接され、一対の脚部が相互に離間する方向に弾発力を蓄積する脚弾発手段を構成している。
【００１３】
また、本発明によれば、ヘッダー弾発手段を設けたブーツホルダーが提供される（請求項２）。即ち、ブーツホルダーは、前記操作手段を待機位置に位置させた状態で、ヘッダー部が開放部を拡開する方向に弾発力を蓄積するヘッダー弾発手段を構成する。
【００１４】
本発明によれば、前記脚弾発手段は、次のように構成される（請求項３）。即ち、前記脚弾発手段は、操作手段の保持孔に保持された一対の脚部の離間距離Ｗ２と、挟持ブロックを相互に当接した状態における脚部の下端の離間距離Ｗ３を、Ｗ２≦Ｗ３とすることにより形成されている。
【００１５】
本発明によれば、前記ヘッダー弾発手段は、次のように構成される（請求項４）。即ち、前記ヘッダー弾発手段は、ヘッダー部の開放部に臨む両端の離間距離Ｗ１と、操作手段の保持孔に保持された一対の脚部の離間距離Ｗ２を、Ｗ１＞Ｗ２とすることにより形成されている。
【００１６】
本発明のブーツホルダーは、各脚部に弾性リングから成るストッパーを摺動自在に外挿し、該ストッパーにより操作手段の下方摺動位置を規制するように構成することが好ましい。
【００１７】
本発明のブーツホルダーは、各脚部に弾性リングから成るスペーサーを摺動自在に外挿し、各脚部をブーツの筒状胴部に挿入した状態で、該スペーサーを筒状胴部の開口縁に臨ませるように構成することが好ましい。
【発明の効果】
【００１８】
本発明のブーツホルダー１０によれば、常時は、一対の脚部１５，１５が開いているので、極めて簡単容易に一対の脚部１５，１５をそれぞれのブーツＢ、Ｂに挿入することができる。そして、操作手段１２を待機位置Ｐ１から作動位置Ｐ２又はＰ３に移動させることにより、脚弾発手段２１の弾発力に抗して脚部１５、１５を閉じさせ、一対の挟持ブロック１６、１６により靴部Ｂ１、Ｂ１を内側から強力に挟持する構成であるから、ブーツホルダー１０を持ち上げてもブーツＢがずれ落ちるようなことはない。従って、ヘッダー部１４をフック等で吊り下げることにより、ブーツＢ、Ｂを販売店等で陳列展示することが可能になる。
【００１９】
また、ブーツホルダー１０を取り外すときは、操作手段１２を作動位置Ｐ２又はＰ３から待機位置Ｐ１に移動させるだけで、脚弾発手段２１の弾発力により脚部１５、１５が自動的に開き、挟持ブロック１６、１６を離間させるので、極めて簡単容易にブーツホルダー１０をブーツＢ、Ｂから抜き取ることができる。
【００２０】
特に、本発明によれば、ブーツＢ、Ｂに対して、ブーツホルダー１０を挿入し又は抜き取る際の何れのときにも、ブーツホルダー１０が筒状胴部Ｂ２、Ｂ２を摺擦するようなことはなく、従って、ブーツＢを損傷するおそれがないという利点がある。
【００２１】
ところで、本発明のブーツホルダー１０は、操作手段１２の保持孔１８に保持された一対の脚部１５、１５の離間距離Ｗ２と、挟持ブロック１６、１６を相互に当接した状態における脚部の下端１５ａ、１５ａの離間距離Ｗ３を、Ｗ２≦Ｗ３とすることにより、脚弾発手段２１を構成している。従って、操作手段１２を作動位置Ｐ２又はＰ３に移動させたとき、挟持ブロック１６、１６によりブーツＢ、Ｂを強力に挟持できる。即ち、このとき、挟持ブロック１６、１６の間にブーツＢ、Ｂが介在しているため必然的にＷ２＜Ｗ３＋２ｔ（但し２ｔはブーツＢ、Ｂの肉厚）となるので、脚部１５、１５を相互にＷ２まで近接するように変形させながら押圧することにより、該押圧力を挟持ブロック１６、１６に伝達する。
【００２２】
更に、本発明のブーツホルダー１０は、ヘッダー部１４の開放部１３に臨む両端１４ａ、１４ａの離間距離Ｗ１と、操作手段１２の保持孔１８に保持された一対の脚部１５、１５の離間距離Ｗ２を、Ｗ１＞Ｗ２とすることにより、ヘッダー弾発手段２０を構成している。従って、操作手段１２を待機位置Ｐ１に位置させた状態で、ヘッダー部１４の両端１４ａ、１４ａが離反方向に弾発力を蓄積している。そこで、操作手段１２を作動位置Ｐ２又はＰ３に移動させると、前記両端１４ａ、１４ａが離反方向に移動する。従って、操作手段１２の下方摺動により、一対の脚部１５、１５が下端を開いた姿勢から閉じる方向に姿勢を変更させられる際に、同時に脚部１５、１５の上端を開く方向に姿勢を変更させられるので、操作手段１２の摺動がスムースであり、しかも、挟持ブロック１６、１６の挟持面１６ａ、１６ａを平行姿勢となるように制御できる。
【００２３】
本発明は、好ましくは、開閉手段１１の各脚部１５に弾性リングから成るストッパー１９ａを摺動自在に外挿している。ブーツＢの筒状胴部Ｂ２の高さに応じた作動位置Ｐ２又はＰ３にストッパー１９ａを設置しておけば、脚部１５、１５を閉じさせるためにユーザが操作手段１２を待機位置Ｐ１から下向きに摺動するとき、ストッパー１９ａにより操作手段１２を前記作動位置Ｐ２又はＰ３で停止させることができる。
【００２４】
本発明は、好ましくは、開閉手段１１の各脚部１５に弾性リングから成るスペーサー１９ｂ、１９ｃを摺動自在に外挿している。ブーツＢの筒状胴部Ｂ２の高さに応じた所定位置にスペーサー１９ｂ、１９ｃを設置しておけば、ブーツホルダー１０の脚部１５、１５を筒状胴部Ｂ２、Ｂ２に挿入した状態で、スペーサー１９ｂ、１９ｃが筒状胴部Ｂ２の内側に臨み、該筒状胴部Ｂ２を横振れしないように保持できる。
【図面の簡単な説明】
【００２５】
【図１】本発明のブーツホルダーの実施形態を示す斜視図である。
【図２】本発明のブーツホルダーを分解状態で示す斜視図である。
【図３】本発明のブーツホルダーの作用を示す断面図である。
【図４】本発明のブーツホルダーのヘッダー弾発手段の作用を示す断面図である。
【図５】本発明のブーツホルダーの脚弾発手段の作用を示す断面図である。
【図６】本発明のブーツホルダーをロングブーツに使用した例に関して、操作手段を待機位置に位置させた状態を示す断面図である。
【図７】ブーツホルダーをロングブーツに使用した例に関して、操作手段を作動位置に移動した状態を示す断面図である。
【図８】本発明のブーツホルダーをショートブーツに使用した例に関して、操作手段を作動位置に位置させた状態を示す断面図である。
【図９】従来技術を示しており、（Ａ）はヘアピン形状のブーツホルダーを示す斜視図、（Ｂ）は該ブーツホルダーによりブーツを保持した状態を示す斜視図である。
【図１０】従来技術を示しており、（Ａ）はヘアピン形状のブーツホルダーを示す正面図、（Ｂ）は該ブーツホルダーの作用を示す断面図、（Ｃ）はヘアピン形状のブーツホルダーに締着部材を設けた従来技術の作用を示す断面図である。
【発明を実施するための最良の形態】
【００２６】
以下図面に基づいて本発明の好ましい実施形態を詳述する。
【００２７】
図１ないし図３に示すように、ブーツホルダー１０は、開閉手段１１と、操作手段１２とから構成されている。
【００２８】
開閉手段１１は、１本の可撓性ロッドを折曲成形することにより、下側を開放部１３とする円弧状のヘッダー部１４と、該ヘッダー部１４から下向きに次第に離れる方向に延びる一対の脚部１５、１５を形成し、両脚部の各下端部１５ａに挟持ブロック１６を固着している。前記ヘッダー部１４は、開放部１３に臨む両端を外向きに折曲することにより相互に離間距離Ｗ１だけ離れた折曲部１４ａ、１４ａを形成し、該折曲部１４ａ、１４ａから脚部１５、１５を直線的に延設している（図３参照）。
【００２９】
前記開閉手段１１は、1本のロッドによりヘッダー部１４と両脚部１５、１５を折曲成形された状態で、図２に示すように、一対の脚部１５、１５の拡開角度θ１を１５°〜２５°の範囲から選択された角度（好ましくは約２０°）で開いており、両脚部１５、１５に操作手段１２を装着した状態で、図１に示すように、一対の脚部１５、１５の拡開角度θ２を４°〜１０°の範囲から選択された角度（好ましくは約６°）となるように狭められる。従って、操作手段１２を装着することにより、θ２＜θ１のように拡開角度を狭めるように変形され、両脚部１５、１５を拡開させる方向の弾発力Ｒ、Ｒを蓄積している。このような弾発力Ｒ、Ｒは、開閉手段１１を弾性ロッド又は可撓性ロッドで形成することにより可能となる。このため、ロッドは、鋼等の弾性素材で形成しても良いが、図示実施形態の場合、例えば、アルミニウム線材等の金属製線材や、カーボン繊維又はガラス繊維で強化された樹脂製線材等のような軽量な素材で、撓み変形された状態から復元方向に弾発力を蓄積する可撓性素材により形成されている。
【００３０】
前記挟持ブロック１６は、開閉手段１１を構成するロッドの外径Ｄよりも分厚い幅Ｔを有するブロックから成り、上面に装着孔１７を形成し、該装着孔１７に脚部１５の下端部１５ａを挿入し固着する。この際、前記装着孔１７は、一対の挟持ブロック１６、１６の対向する挟持面１６ａ、１６ａから外側に距離Ｓだけ離間した位置に設けられている。従って、挟持ブロック１６、１６の挟持面１６ａ、１６ａを相互に当接したとき、脚部１５、１５の下端部１５ａ、１５ａが相互に離間距離Ｗ３だけ離れるように形成している（図３に示すＷ３を参照）。挟持ブロック１６は、図示のような靴形状とすることにより意匠的効果に優れたものとなり、その際、擬似的な靴紐（図示省略）を取付ければ、更に意匠的効果が向上する。尚、挟持ブロック１６は、木工加工による木製としても良く、或いは、合成樹脂製としても良い。
【００３１】
前記操作手段１２は、一対の脚部１５、１５に跨設される分厚い板部材から成り、該板部材の上下に貫通して脚部１５、１５を挿通するための保持孔１８を形成している。保持孔１８に脚部１５、１５を挿通した状態で、操作手段１２は上下方向に摺動自在とされ、保持孔１８は、一対の脚部１５、１５を相互に離間距離Ｗ２だけ離れるように両側から保持する（図３に示すＷ１を参照）。このような離間距離Ｗ２を可能にするため、保持孔１８は、図２に示す操作部材１２ａのような長孔１８ａにより構成しても良く、或いは、操作部材１２ｂのような一対の孔１８ｂ、１８ｂにより構成しても良い。尚、操作手段１２は、木工加工による木製としても良く、或いは、合成樹脂製としても良い。
【００３２】
操作手段１２は、ヘッダー部１４に近傍する上方の待機位置Ｐ１と、ヘッダー部１４から離れた下方の作動位置Ｐ２、Ｐ３の間で摺動自在とされている。操作手段１２を待機位置Ｐ１から作動位置Ｐ２、Ｐ３に向けて下方に摺動すると、保持孔１８が脚部１５、１５を相互に近接方向に閉じさせ、操作手段１２を作動位置Ｐ２、Ｐ３から待機位置Ｐ１に向けて上方に摺動すると、保持孔１８が脚部１５、１５を相互に離間方向に開かせる連動手段を構成している。
【００３３】
図示実施形態において、一対の脚部１５、１５には複数の弾性リング１９が摺動自在に外挿されている。最上位置に配置された弾性リングはストッパー１９ａを構成し、下側に配置された弾性リングはスペーサー１９ｂ、１９ｃを構成する。
【００３４】
ブーツホルダー１０は、開閉手段１１の一対の脚部１５、１５を操作手段１２の保持孔１８に挿通させ、各脚部１５に弾性リング１９を外挿した後、下端部１５ａに挟持ブロック１６を固着することにより組み立てられ、図1に示すような製品として使用される。
【００３５】
上述したヘッダー部１４の折曲部１４ａ、１４ａの離間距離Ｗ１（開放部１３の幅）と操作手段１２の保持孔１８に保持された状態での一対の脚部１５、１５の離間距離Ｗ２は、Ｗ１＞Ｗ２となるように形成されている。従って、図３に示すように、操作手段１２をヘッダー部１４の折曲部１４ａ、１４ａに近傍する最上位の待機位置Ｐ１に位置させたとき、ヘッダー部１４は、図示鎖線の状態から実線の状態に圧縮された状態で弾発力を蓄積し、折曲部１４ａ、１４ａの離間距離をＷ１からＷ２に狭めるように変形される。これにより、ヘッダー部１４は、開放部１３を拡開する方向に弾発力を蓄積するヘッダー弾発手段２０を構成する。
【００３６】
図４に示すように、操作手段１２を待機位置Ｐ１から作動位置Ｐ２、Ｐ３に移動させると、一対の脚部１５、１５は、ヘッダー部１４から下向きに開いた姿勢から先端部１５ａ、１５ａを閉じる方向に揺動され、挟持ブロック１６、１６を相互に当接する。もしも、脚部１５が上端の支点を固定した状態で揺動する場合は、脚部１５、１５が平行になるまで、先端を開いた脚部１５の軸線が保持孔１８の軸線に対して傾斜しているので、操作手段１２の摺動がスムースでなく、摺動のために強い力を必要とする。これに対して、ヘッダー弾発手段２０を設けた構成によれば、操作手段１２を待機位置Ｐ１から下方に移動させると、図示の鎖線で示す状態から実線で示すように、開放部１３が開き、脚部１５の上端の揺動支点（折曲部１４ａ）を外側に向けて移動させる。従って、保持孔１８の軸線に対する脚部１５の傾斜角が小さくなり、操作手段１２の摺動がスムースなものとなる。しかも、脚部１５の揺動支点（折曲部１４ａ）を外側に向けて移動させることにより、保持孔１８に保持された一対の脚部１５、１５を平行姿勢となるように制御するので、挟持ブロック１６、１６の挟持面１６ａ、１６ａを平行状態で当接させるように貢献する。
【００３７】
操作手段１２を前記待機位置Ｐ１に位置させた状態で、一対の脚部１５、１５は、下向きに次第に離れる方向に延びており、図３に実線で示すように下端部１５ａ、１５ａを離間距離Ｗ４で示すように離間させ、一対の挟持ブロック１６、１６を離間距離Ｗ５で示すように離間させている。この待機位置Ｐ１から操作手段１２を下方に移動すると、一対の脚部１５、１５が次第に閉じ、操作手段１２を図３の鎖線で示す作動位置Ｐ２に位置させると、脚部１５、１５が完全に閉じて挟持ブロック１６、１６の挟持面１６ａ、１６ａを相互に当接する。この状態で、脚部１５、１５は、下端部１５ａ、１５ａの離間距離をＷ４からＷ３に狭めるように変形される。従って、操作手段１２を作動位置Ｐ２に位置させたとき、一対の脚部１５、１５は、相互に離反する方向に弾発力を蓄積する脚弾発手段２１を構成する。図示実施形態において、狭められた下端部１５ａ、１５ａの離間距離Ｗ３と、操作手段１２の保持孔１８に保持された個所の脚部１５、１５の離間距離Ｗ２は、Ｗ２≦Ｗ３となるように形成されている。
【００３８】
図５に示すように、操作手段１２を作動位置Ｐ２、Ｐ３に移動させたとき、挟持ブロック１６、１６の間にブーツＢ、Ｂが介在している場合、脚部１５、１５の下端部１５ａ、１５ａの離間距離Ｗ３は、Ｗ３＋２ｔ（２ｔはブーツＢ、Ｂの肉厚）となるので、操作手段１２の保持孔１８に保持された脚部１５、１５の離間距離Ｗ２は、必然的にＷ２＜Ｗ３＋２ｔとなる。従って、脚弾発手段２１に抗して脚部１５、１５が相互にＷ２まで近接するように押圧され、その押圧力を挟持ブロック１６、１６に伝達するので、脚弾発手段２１の反力により挟持ブロック１６、１６の挟持力が増強される。
【００３９】
ブーツホルダー１０は、操作手段１２を待機位置Ｐ１に移動させた状態で、ヘッダー部１４から延びる一対の脚部１５、１５を下向きに次第に離れるように開き、挟持ブロック１６、１６を相互に離間している。従って、図６に示すように、並設した一対のブーツＢ、Ｂに対して、挟持ブロック１６、１６と共に脚部１５、１５を簡単容易に挿入することができる。そこで、図７に示すように、操作手段１２を待機位置Ｐ１から作動位置Ｐ２まで移動すると、脚部１５、１５が次第に閉じ、挟持ブロック１６、１６によりブーツＢ、Ｂの靴部Ｂ１、Ｂ１を内側から挟持する。操作手段１２が待機位置Ｐ１から離れるので、ヘッダー弾発手段２０により、ヘッダー部１４の開放部１３がやや開いた状態で、脚部１５、１５の上端部１５ｂ、１５ｂが離反方向Ｒ１に弾発されている。脚部１５、１５の下端部１５ａ、１５ａは、上述のようなＷ２≦Ｗ３とされており、この際、挟持ブロック１６、１６の間に靴部Ｂ１、Ｂ１（肉厚２ｔ）が介在しているため、必然的にＷ２＜Ｗ３＋２ｔとなるように変形され、脚弾発手段２１により、下端部１５ａ、１５ａが離反方向Ｒ２に弾発されている。このような離反方向Ｒ１、Ｒ２の弾発力に抗して挟持ブロック１６、１６が近接させられ、ブーツＢ、Ｂの靴部Ｂ１、Ｂ１を内側から強力に挟持する。操作手段１２の上下で脚部１５、１５に離反方向Ｒ１、Ｒ２の弾発力が作用しているので、ブーツホルダー１０に衝撃等が加えられても、操作手段１２は容易に移動せず、所定の作動位置Ｐ２に定置する。
【００４０】
図７に示すように、ブーツＢの筒状胴部Ｂ２の高さに応じてストッパー１９ａを所定の位置に設置しておけば、操作手段１２を待機位置Ｐ１から下方に移動したとき、所定の作動位置Ｐ２で停止させることができる。また、筒状胴部Ｂ２の高さに応じてスペーサー１９ｂ、１９ｃを所定の位置に設置しておけば、該筒状胴部Ｂ２を横振れしないように保持できる。
【００４１】
このようにブーツホルダー１０は、挟持ブロック１６、１６で挟持することにより靴部Ｂ１、Ｂ１を連結し、脚部１５、１５により筒状胴部Ｂ２、Ｂ２を折曲不能に保持する。従って、ブーツホルダー１０により、ブーツＢ、Ｂを床面に置いた状態で保持できる他、ヘッダー部１４をフック等で吊り下げれば、ブーツＢ、Ｂを販売店等で陳列展示することができる。
【００４２】
ブーツＢ、Ｂからブーツホルダー１０を取り外すときは、上記とは反対に操作手段１２を作動位置Ｐ２から待機位置Ｐ１に移動すれば良い。これにより、一対の脚部１５、１５が離反方向Ｒ１、Ｒ２に自動的に開き、挟持ブロック１６、１６が離間するので、ブーツホルダー１０をブーツＢ、Ｂから簡単に抜き取ることができる。
【００４３】
図６及び図７は、背の高い筒状胴部Ｂ２を備えたロングブーツを示したが、ブーツホルダー１０は、図８に示すような背の低い筒状胴部Ｂ２を備えたショートブーツに対しても同様に使用することができる。この場合、ブーツホルダー１０は、挟持ブロック１６、１６と共に脚部１５、１５をブーツＢ、Ｂに挿入した後、操作手段１２を待機位置Ｐ１から背の低い筒状胴部Ｂ２の開口縁Ｂ３に近傍する作動位置Ｐ３まで移動させる。これに応じて、ストッパー１９ａは、操作手段１２を作動位置Ｐ３で停止させる位置に設置されている。
【００４４】
ロングブーツの場合と同様に、操作手段１２を待機位置Ｐ１から作動位置Ｐ３まで移動すると、脚部１５、１５が次第に閉じ、挟持ブロック１６、１６によりブーツＢ、Ｂの靴部Ｂ１、Ｂ１を内側から挟持する。操作手段１２が待機位置Ｐ１から離れるので、ヘッダー弾発手段２０により、ヘッダー部１４の開放部１３が開き、脚部１５、１５の上端部１５ｂ、１５ｂが離反方向Ｒ１に弾発される。作動位置Ｐ３が低いので、上端部１５ｂ、１５ｂは、ヘッダー弾発手段２０の弾発力を受けて外側に弓状となるように変形する。脚部１５、１５の下端部１５ａ、１５ａは、上述のようなＷ２≦Ｗ３とされているので、離反方向Ｒ２に弾発される。この場合も、挟持ブロック１６、１６の間に靴部Ｂ１、Ｂ１が介在するため必然的にＷ２＜Ｗ３＋２ｔ（２ｔはブーツＢ、Ｂの肉厚）となるので、脚弾発手段２１により、下端部１５ａ、１５ａが内側に弓状となるように変形する。このような離反方向Ｒ１、Ｒ２の弾発力に抗して挟持ブロック１６、１６が近接させられ、ブーツＢ、Ｂの靴部Ｂ１、Ｂ１を内側から強力に挟持する。
【符号の説明】
【００４５】
１０  ブーツホルダー
１１  開閉手段
１２  操作手段
１３  開放部
１４  ヘッダー部
１４ａ  折曲部
１５  脚部
１５ａ  下端部
１５ｂ  上端部
１６  挟持ブロック
１６ａ  挟持面
１８  保持孔
１９ａ  ストッパー
１９ｂ、１９ｃ  スペーサー
２０  ヘッダー弾発手段
２１  脚弾発手段
【国際調査報告】
2009128165.tif 000013
2009128165.tif 000014